(57)【特許請求の範囲】
【請求項１】
透明なケースの内部に基板を収容し、基板の下面に光源を設けた照明器具において、
光源として前後端部に電極を有する冷陰極管を用い、前記冷陰極管から放射された光を基板の下面から上面へ透過させる透光部を前記冷陰極管が下面に取付けられた基板の中央部かつ前後端部間に形成し、前記冷陰極管を前記基板の前後伸延方向に沿って伸延させるとともに、前記透光部を前記冷陰極管に沿って伸延させたスリットで形成して、前記冷陰極管から放射された光が下方側へ向けて照射されるだけでなく前記冷陰極管から放射された光が前記スリットを透過して上方側にも照射されるようにしたことを特徴とする照明器具。
【請求項２】
前記透光部に蓋体を開閉自在に設けて調光可能としたことを特徴とする請求項１に記載の照明器具。
【請求項３】
端部に電極を有する前記冷陰極管を前記基板の伸延方向に沿って配置するとともに、前記冷陰極管の電極に接続する電源回路を前記基板の上面の端部に配置し、前記基板の両端部間に前記透光部を形成したことを特徴とする請求項１又は請求項２に記載の照明器具。
【発明の詳細な説明】
【技術分野】
【０００１】
本発明は、照明器具に関するものであり、特に、透明なケースの内部に基板を収容し、基板の下面に光源を設けた照明器具に関するものである。
【背景技術】
【０００２】
従来より照明器具としては、蛍光管を用いた蛍光灯が広く利用されている。しかし、近年においては、省電力化や長寿命化を図るために、発光ダイオードや冷陰極管などの光源を用いた照明器具が普及しつつある。特に、既設の蛍光灯をそのまま利用して、蛍光管に変えて発光ダイオードや冷陰極管などを光源とする照明器具を装着できるように構成したものが市販されるようになっている。
【０００３】
このように蛍光管と互換性を有する照明器具としては、たとえば特許文献１に開示されているように、透明な中空円筒状のケースの内部に矩形板状の基板を収容し、基板の下面（照明器具の使用状態において下側になる面）に光源となる発光ダイオードを実装した構成となっている。
【０００４】
そして、この照明器具では、基板の下面に実装した光源から照射される光をケースの下面（照明器具の使用状態において下側になる面）から下方へ向けて照射するようになっている。
【先行技術文献】
【特許文献】
【０００５】
【特許文献１】特開２００４−３３５４２６号公報
【発明の概要】
【発明が解決しようとする課題】
【０００６】
ところが、上記従来の照明器具では、ケースの内部に収容された基板の下面から下方へ向けて光を照射する構成となっているために、ケースよりも下方側へ向けての輝度は充分に確保されるものの、ケースよりも上方側には基板に阻害されて光が全く照射されていなかった。
【０００７】
そのため、照明器具を装着した天井面に光が照射されず、使用者にとっては実際の輝度よりも暗く感じられ、また、質素で単調な照明といった印象を与えてしまうものであった。
【課題を解決するための手段】
【０００８】
そこで、請求項１に係る本発明では、透明なケースの内部に基板を収容し、基板の下面に光源を設けた照明器具において、光源として前後端部に電極を有する冷陰極管を用い、前記冷陰極管から放射された光を基板の下面から上面へ透過させる透光部を前記冷陰極管が下面に取付けられた基板の中央部かつ前後端部間に形成し、前記冷陰極管を前記基板の前後伸延方向に沿って伸延させるとともに、前記透光部を前記冷陰極管に沿って伸延させたスリットで形成して、前記冷陰極管から放射された光が下方側へ向けて照射されるだけでなく前記冷陰極管から放射された光が前記スリットを透過して上方側にも照射されるようにした。
【０００９】
また、請求項２に係る本発明では、前記請求項１に係る本発明において、前記透光部に蓋体を開閉自在に設けて調光可能とすることにした。
【００１０】
また、請求項３に係る本発明では、前記請求項１又は請求項２に係る本発明において、端部に電極を有する前記冷陰極管を前記基板の伸延方向に沿って配置するとともに、前記冷陰極管の電極に接続する電源回路を前記基板の上面の端部に配置し、前記基板の両端部間に前記透光部を形成することにした。
【発明の効果】
【００１１】
そして、本発明では、以下に記載する効果を奏する。
【００１２】
すなわち、本発明では、透明なケースの内部に基板を収容し、基板の下面に光源を設けた照明器具において、光源から放射された光を基板の下面から上面へ透過させる透光部を基板に形成しているために、基板の下面に配置した光源から放射された光が基板の透光部を透過してケースの上方側をも照射し、照明器具を装着した天井面にも光を照射することができるので、使用者に明るく爽快な印象を与えられる照明器具とすることができる。
【００１３】
特に、透光部を光源に沿って伸延させたスリットで形成した場合には、光源から放射される光を全面的に有効に利用することができ、使用者により一層好印象を与えられる照明器具とすることができる。
【００１４】
また、端部に電極を有する光源を基板の伸延方向に沿って配置するとともに、光源の電極に接続する電源回路を基板の上面の端部に配置し、基板の両端部間に透光部を形成した場合には、ケースの上方側を照射する光が基板に配置した電源回路によって阻害されることがなくなり、これによっても光源から放射される光を全面的に有効に利用することができ、使用者により一層好印象を与えられる照明器具とすることができる。
【図面の簡単な説明】
【００１５】
【図１】本発明に係る照明器具を示す平面図（ａ）、底面図（ｂ）、側面断面図（ｃ）。
【発明を実施するための形態】
【００１６】
以下に、本発明に係る照明器具の具体的な構成について図面を参照しながら説明する。
【００１７】
図１に示すように、照明器具１は、既設の蛍光灯に蛍光管の代替品として装着できるようにしたもので、蛍光灯に設けられた一対のソケットに挿脱される前後一対のプラグ2,2の間に前後に伸延する透明な中空円筒状のケース３を取付けている。なお、以下の説明では、既設の蛍光灯に蛍光管の代替品として装着できる照明器具１を代表例としてその構成を説明しているが、本発明は、これに限られず、専用のコネクターを用いて装着される専用の照明器具１としてもよい。また、ケース３は、上下に光を透過する部分が形成されていればよく、ケース３の全体が無色又は有色な透明である場合に限られず、ケース３の一部が無色又は有色な透明であってもよい。
【００１８】
また、照明器具１は、ケース３の内部中央に前後に伸延する矩形板状の基板４を収容して、基板４によってケース３の内部を上方側と下方側とに区画している。
【００１９】
また、照明器具１は、基板４の下面（照明器具１の使用状態において下側になる面）に左右一対の前後に伸延する冷陰極管からなる光源5,5を左右に間隔をあけて平行に取付け、一方、基板４の上面の前後端部に電源回路6,6を取付けている。
【００２０】
ここで、光源５は、前後端部に電極を有する冷陰極管を用いている。また、電源回路６は、蛍光灯のソケットからプラグ２に供給される電力を光源５で使用される電力に変換する回路であり、交流―直流変換回路や電圧変換回路やインバーター回路などが該当する。
【００２１】
さらに、照明器具１は、基板４の中央部に前後に伸延する貫通スリット状の透光部７を形成している。
【００２２】
この透光部７は、基板４の下面において光源5,5から放射された光を基板４の下面から上面へ透過させるものであり、前後端部の電源回路6,6の間、かつ、左右の光源5,5の間に光源5,5に沿って形成している。
【００２３】
ここで、透光部７は、貫通スリット状に形成しているが、これに限られず、基板４の下面において光源5,5から放射された光を基板４の下面から上面へ透過させることができればよく、基板４に貫通孔を多孔状に形成してもよく、また、基板４の一部又は全体を透明な素材で形成するようにしてもよい。
【００２４】
照明器具１は、以上に説明したように構成しており、蛍光灯に蛍光管の代わりに装着して使用される。
【００２５】
そして、上記照明器具１は、基板４に透光部７を形成しているために、基板４の下面に配置した光源5,5から放射された光がケース３の下方側へ向けて照射されるだけでなく、基板４の透光部７を透過してケース３の上方側にも照射される。なお。透光部７に反射材などの蓋体を開閉自在に設けて調光可能とすることもできる。
【００２６】
以上に説明したように、上記照明器具１は、透明なケース３の内部に基板４を収容し、基板４の下面に光源５を設け、その光源５から放射された光を基板４の下面から上面へ透過させる透光部７を基板４に形成した構成となっている。
【００２７】
そのため、上記構成の照明器具１では、基板４の下面に配置した光源5,5から放射された光が基板４の透光部７を透過してケース３の上方側をも照射し、照明器具１を装着した天井面にも光を照射することができるので、使用者に明るく爽快な印象を与えられる照明器具１となっている。
【００２８】
また、上記照明器具１は、透光部７を光源５に沿って伸延させたスリットで形成した構成となっている。
【００２９】
そのため、上記構成の照明器具１では、光源５から放射される光を全面的に有効に利用することができ、使用者により一層好印象を与えられる照明器具１となっている。
【００３０】
さらに、上記照明器具１は、端部に電極を有する光源５を基板４の伸延方向に沿って配置するとともに、光源５の電極に接続する電源回路６を基板４の上面の端部に配置し、基板４の両端部間に透光部７を形成した構成となっている。
【００３１】
そのため、上記構成の照明器具１では、ケース３の上方側を照射する光が基板４に配置した電源回路６によって阻害されることがなくなり、これによっても光源５から放射される光を全面的に有効に利用することができ、使用者により一層好印象を与えられる照明器具１となっている。
【符号の説明】
【００３２】
１  照明器具
２  プラグ
３  ケース
４  基板
５  光源
６  電源回路
７  透光部
【図１】
0005441229.tif 000002